(57)【要約】展示品を固定する錠は、前部開口部（32）と前部開口部（32）に隣接するフック（33）とを有するケーシング（30）を有しており、ケーシング（30）に錠本体（1）が受け入れられる。錠本体（1）は、前部開口部（32）を通ってケーシング（30）から出ることのできる前部へり（263）を有するボルト（26）を備えている。さらに、錠本体（1）は、ボルト（26）の前部へり（263）をケーシング（30）から延ばし、錠が開放されるまでフック（33）のそばにしっかりと維持することができるように構成されている。
2005533951.tif 000002
【特許請求の範囲】
【請求項１】
以下を含む、展示品を固定する錠であって、錠が開放されるまで、ボルト（26）の前部へり（263）がケーシング（30）の中へ延びかつフック（33）のそばにしっかりと維持されるように錠本体（1）が構成されている錠：
前部開口部（32）および前部開口部（32）に隣接するフック（33）を有するケーシング（30）；ならびに
ケーシング（30）に受け入れられ、前部開口部（32）を通ってケーシング（30）から出ることのできる前部へり（263）を有するボルト（26）を備える錠本体（1）。
【請求項２】
錠本体（1）が、
後部チャンバ（11）およびケーシング（30）の前部開口部（32）と位置合わせされる貫通孔（12）を有する中空体（10）、
中空体（10）の後部チャンバ（11）内で前方位置と後方位置との間を移動可能であり、そこから前方に延びるステム（21）を有するシリンダ（20）、
シリンダ（20）に回転可能に連結される後端部およびボルト（26）に回転可能に連結される前端部を有するステム（21）、
シリンダ（20）を後方位置に移動させるばね（28）、および
シリンダ（20）が前方位置に移動するとすぐに、ボルト（26）のへり（263）をケーシング（30）の外にはずせるように維持する手段、を含む、請求項1記載の錠。
【請求項３】
へりをはずせるように維持する手段が、以下を含む、請求項2記載の錠：
ステム（21）の表面に規定された少なくとも1つの切欠き（22、22a）；
中空体（10）内に形成され、実質的に接点で前部貫通孔（12）と通じている少なくとも1つの直線部（131）を有する溝（13）；
中空体（10）の溝（13）に受け入れられ、溝（13）の直線部（131）で弾性的で柔軟な少なくとも1つのシャンク（171）を有するクリップ（17）；および、
通常はステム（21）の周囲に隣接しており、シリンダ（20）が前方位置に移動すると切欠き（22）に嵌め込み、ステム（21）を捕捉するシャンク（171）。
【請求項４】
中空体（10）には長手方向溝（14）が形成されており、シリンダ（20）が、中空体（10）の長手方向溝（14）内に延び、長手方向溝（14）に沿って移動可能であり、それによって、シリンダ（20）を前方位置と後方位置との間を正しく移動させる止め金具（15）を有する、請求項2記載の錠。
【請求項５】
ステム（21）が、その前端部の近くに形成された首部（24）を有し、ボルト（26）が、ステム（21）の前端部を受け入れる後部止まり穴（261）を有し、ピン（27）がボルト（26）を通ってステム（21）の首部（24）内に延び、それによってステム（21）の前端部をボルト（26）に回転可能に連結することができる、請求項2記載の錠。
【請求項６】
ケーシング（30）が、その周囲に取り付けられたワイヤ・ケーブル（36）を備えている、請求項2記載の錠。
【請求項７】
ケーシング（30）および中空体（10）が、互いに位置合わせされたそれぞれの穴（34、16）を有し、ピントル（35）が穴（34、16）内に延び、それによって錠本体（1）がケーシング（30）に固定される、請求項2記載の錠。
【発明の詳細な説明】
【技術分野】
【０００１】
発明の背景
１．発明の分野
本発明は、展示品を固定する錠に関し、特に操作が容易でありかつ管理するのが便利な錠に関する。
【背景技術】
【０００２】
２．関連技術の説明
展示品、特に公共の展示品を固定することが必要になることが少なくない。これは通常、動かないものを通して輪状にされたワイヤ・ケーブルを有する錠によって行われる。
【０００３】
図5に示されているように、このための錠は一般に、複数のダイヤル（51）と別個の引掛け部（60）を着脱可能に受け入れるソケット（52）とを有する本体（50）を含んでいる。引掛け部（60）の前部フックが物品の孔を通過する前後に、ダイアル（51）を旋回させて事前に設定された組合せにし、部分（60）の後部円板状端部がソケット（52）に嵌め込まれ、本体（50）に固定的に取り付けられるのを可能にする必要がある。
【０００４】
錠は、本体（50）のスライダ（53）を移動させる前に、ダイアル（51）を再び、事前に設定された組合せにすることによって開放される。このとき、引掛け部（60）を本体（50）から分離することができる。
【０００５】
この従来の錠では、ダイアル（51）を、引掛け部（60）を取り付けられるように旋回させるか、または引掛け部（60）を本体（50）から分離できるように旋回させなければならず、これが利用者にとって難しい操作であることは明確である。
【０００６】
さらに、従来の錠は、別個の引掛け部（50）を紛失し、残った本体（50）が無用になることが少なくないため、管理するのが不便である。
【発明の開示】
【０００７】
したがって、本発明の目的は、展示品を固定する錠を提供し、前述の問題を軽減し、かつ／または解消することである。
【０００８】
発明の概要
本発明の目的は、操作しやすい錠を提供することである。
【０００９】
本発明の他の目的は、管理するのが便利な錠を提供することである。
【００１０】
本発明の他の目的、利点、および新規の特徴は、以下の詳細な説明を添付の図面と一緒に検討したときにより明らかになろう。
【００１１】
好ましい態様の詳細な説明
図1を参照すると、本発明による錠は、前部開口部（32）と開口部（32）に隣接するフック（33）とを有するケーシング（30）を含み、ケーシング（30）の周囲にワイヤ・ケーブル（36）が取り付けられている。ケーシング（30）は、錠本体（1）を受け入れる後部開口部（31）をさらに備えている。
【００１２】
錠本体（1）は、ケーシング（30）に受け入れられる中空体（10）を含んでいる。中空体（10）は、後部チャンバ（11）と、ケーシング（30）の前部開口部（32）に整列する前部貫通孔（12）とを有し、好ましくは長手方向溝（14）が形成されている。
【００１３】
中空体（10）の後部チャンバ（11）にシリンダ（20）が移動可能に嵌め込まれる。シリンダ（20）は、長手方向溝（14）内に延び長手方向溝（14）に沿って移動可能であり、したがって、シリンダ（20）を、中空体（10）、したがってケーシング（30）に対して、図4に示されている前方位置と図2および3に示されている後方位置との間を正しく移動させる止め金具（15）を受け入れる穴（23）を有している。
【００１４】
シリンダ（20）は、シリンダ（20）に回転可能に連結された後端部と、ボルト（26）に回転可能に連結される前端部とを有する前方に延びるステム（21）をさらに有している。図示の態様では、ステム（21）の前端部は、ボルト（26）の後部止まり穴（261）に受け入れられ、最前部の円板（25）によって形成された首部（24）を備えており、ピン（27）がボルト（26）の開口（262）を通って首部（24）内へ延びており、それによってステム（21）の前端部をボルト（26）に回転可能に連結することができる。
【００１５】
ボルト（26）は、図4に最もよく示されているように、前部開口部（32）を通してケーシング（30）から出ることができる前部へり（263）を有している。すなわち、前部へり（263）は、シリンダ（20）が前方位置に移動したときにケーシング（30）から張り出し、フック（33）のそばにしっかりと保持される。前部へり（263）は、シリンダ（20）が、中空体（10）の後部チャンバ（11）に収容されシリンダ（20）のステム（21）の周りに取り付けられたばね（28）の作用によって後方位置に移動したときにケーシング（30）内に引き込むこともできる。
【００１６】
本発明の錠では、シリンダ（20）が前方位置に移動した後、ボルト（26）のへり（263）の、ケーシング（30）から出た状態をなように維持する手段をさらに設けられている。
【００１７】
きわめて好ましい態様では、へりをはずせるように維持する手段は、ステム（21）の周囲に形成された一対の向かい合う切欠き（22）と、中空体（10）の溝（13）に受け入れられるクリップ（17）とを含んでいる。詳細には、溝（13）は、実質的に2つの向かい合う接点で前部貫通孔（12）と連通する一対の直線部（131）を有し、一方、クリップ（17）は、U字形構成になっており、溝（13）の直線部（131）において弾性的で柔軟な可能な一対のシャンク（171）を有している。
【００１８】
これらのシャンク（31）は、通常はステム（21）の周囲に当たるが、シリンダ（20）がその前方位置に移動した後、切欠き（22）に嵌ってステム（21）を捕捉し、したがって、ボルト（26）のへり（263）をケーシング（30）のフック（33）のそばに維持する。
【００１９】
図1および2に関しては、本発明の錠は、ケーシング（30）および中空体（10）の位置合わせされた穴（34、16）内に延びるピントル（35）などによって、錠本体（1）がケーシング（30）に固定される前に、錠本体（1）を後部開口部（31）に嵌め込むだけで組み立てることができる。
【００２０】
このことは、部分的にかつ引き込み可能に延ばせるようになっているボルトを有する、既知のものであってもそうでなくてもよい任意の個々の錠、特に、シリンダを押すことによってボルトを部分的にかつ引き込み可能に延ばすことのできる錠から選択できることを意味する。言い換えれば、本発明の錠は、錠本体として多数の選択肢があり、組立ても容易である。
【００２１】
図2および3に関しては、本発明の錠は、特に、物品（40）をディスプレイ上に固定するために提供される。図を見ると分かるように、物品（40）は、ケーシング（30）のフック（33）が物品（40）に引っ掛かかるように延びることのできる孔（41）を有している。
【００２２】
図4に関しては、シリンダ（20）を押し、すなわち、シリンダ（20）を後方位置から前方位置に移動させることによって、物品（40）を錠することができる。前方位置では、U字形クリップ（17）の弾性シャンク（171）がシリンダ（20）の切欠き（22）に嵌り、それによってステム（21）を捕捉し、したがって、ボルト（26）のへり（263）をケーシング（30）のフック（33）のそばに維持する。
【００２３】
この場合、へり（263）は、孔（41）内に維持され、他の場合にはフック（33）が孔（41）から出ることのできる通路を遮断している。したがって、ディスプレイ上の物品は、錠が開放されるまで固定されている。
【００２４】
錠は、シリンダ（20）に形成されたキー穴に挿入された正しいキー（図示せず）などによって、ステム（21）をシリンダ（20）に対して旋回させることによってのみ開放することができる。この場合、シャンク（171）も旋回するステム（21）によって外側に押される。シャンク（171）が、切欠き（22）から完全に滑り出て、再びステム（21）の周囲に当たると、シリンダ（20）が、圧縮されているばね（28）の作用によってその前方位置（図4）からその後方位置（図3）に素早く移動する。
【００２５】
その結果、ボルト（26）のへり（263）がケーシング（30）に引き込まれ、フック（33）がポート（41）から出て、物品（40）を本発明の錠から分離するのを可能にすることができる。
【００２６】
クリップ（17）をU字形以外の構成にすることができることに留意されたい。たとえば、単一のシャンクを有するL字形構成にされた他のクリップを使用してもよい。
【００２７】
この場合、溝（13）は、実質的に1つの接点で前部貫通孔（12）と連通する1つの直線部を備えるだけでよく、ステム（21）には1つの切欠き（22）を形成するだけでよい。L字形クリップは溝（13）に受け入れられ、単一のシャンクは直線部で弾性的にたわむことができる。U字形構成の態様と同様に、単一のシャンクは通常、ステム（21）の周囲に当たるが、シリンダ（20）が前方位置に移動した後、切欠き（22）に嵌ってステム（21）を捕捉する。
【００２８】
上記の説明から、本発明が以下の利点を有することは明らかである。
１．操作が容易である。
シリンダ（20）を押すだけで物品（40）を錠できるので、本発明の錠は操作が容易である。
２．管理するのが便利である。
フック（33）が、ケーシング（33）と一体的に形成されており、紛失しないので、本発明の錠は管理するのが便利である。
３．錠本体の選択肢を有している。
部分的にかつ引き込み可能に延ばせるようになっているボルトを有する任意の個々の錠から錠本体を選択できるので、本発明の錠は、その錠本体の選択肢を有している。
４．組立てが容易である。
位置合わせされた穴（34、16）にピントル（35）を挿入するだけで錠本体（1）をケーシング（30）に固定できるので、本発明の錠は組立てが容易である。
【００２９】
しかし、本発明の多数の特徴および利点が、本発明の構造および機能の詳細と共に前記の説明に記載されているにもかかわらず、開示は例示的なものに過ぎず、本発明の原則内で、添付の特許請求の範囲が表わされている用語の広義の一般的な意味によって示される全範囲にわたって、特に部品の形状、サイズ、および構成に関して、細部に変更を加えられることを理解されたい。
【図面の簡単な説明】
【００３０】
【図１】展示品を固定する本発明による錠の好ましい態様の分解斜視図である。
【図２】物品を図1の錠に固定する準備が整った様子を示す横断面図である。
【図３】物品を図1の錠に引っ掛けた様子を示す横断面図である。
【図４】物品を図1の錠にしっかりと取り付けた様子を示す横断面図である。
【図５】先行技術の錠の側面図である。
【図１】
2005533951.tif 000003
【図２】
2005533951.tif 000004
【図３】
2005533951.tif 000005
【図４】
2005533951.tif 000006
【図５】
2005533951.tif 000007
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
以下を含む、展示品を固定する錠であって、錠が開放されるまで、ボルト（26）がケーシング（30）の中へ延びかつフック（33）のそばにしっかりと維持されるように錠本体（1）が構成されている錠：
前部開口部（32）を有するケーシング（30）；
前部開口部（32）にもっとも近いフック（33）；ならびに
ケーシング（30）に受け入れられ、前部開口部（32）を通ってケーシング（30）から出ることのできるボルト（26）を備える錠本体（1）。
【請求項２】
錠本体（1）が、
後部チャンバ（11）およびケーシング（30）の前部開口部（32）と位置合わせされる貫通孔（12）を有する中空体（10）、
中空体（10）の後部チャンバ（11）内で前方位置と後方位置との間を移動可能であり、そこから前方に延びるステム（21）を有するシリンダ（20）、
シリンダ（20）に回転可能に連結される後端部およびボルト（26）に回転可能に連結される前端部を有するステム（21）、
シリンダ（20）を後方位置に移動させるばね（28）、および
シリンダ（20）が前方位置に移動するとすぐに、ボルト（26）のへり（263）をケーシング（30）の外にはずせるように維持する手段、を含む、請求項1記載の錠。
【請求項３】
へりをはずせるように維持する手段が、以下を含む、請求項2記載の錠：
ステム（21）の表面に規定された少なくとも1つの切欠き（22、22a）；
中空体（10）内に形成され、実質的に接点で前部貫通孔（12）と通じている少なくとも1つの直線部（131）を有する溝（13）；
中空体（10）の溝（13）に受け入れられ、溝（13）の直線部（131）で弾性的で柔軟な少なくとも1つのシャンク（171）を有するクリップ（17）；および、
通常はステム（21）の周囲に隣接しており、シリンダ（20）が前方位置に移動すると切欠き（22）に嵌め込み、ステム（21）を捕捉するシャンク（171）。
【請求項４】
中空体（10）には長手方向溝（14）が形成されており、シリンダ（20）が、中空体（10）の長手方向溝（14）内に延び、長手方向溝（14）に沿って移動可能であり、それによって、シリンダ（20）を前方位置と後方位置との間を正しく移動させる止め金具（15）を有する、請求項2記載の錠。
【請求項５】
ステム（21）が、その前端部の近くに形成された首部（24）を有し、ボルト（26）が、ステム（21）の前端部を受け入れる後部止まり穴（261）を有し、ピン（27）がボルト（26）を通ってステム（21）の首部（24）内に延び、それによってステム（21）の前端部をボルト（26）に回転可能に連結することができる、請求項2記載の錠。
【請求項６】
ケーシング（30）が、その周囲に取り付けられたワイヤ・ケーブル（36）を備えている、請求項2記載の錠。
【請求項７】
ケーシング（30）および中空体（10）が、互いに位置合わせされたそれぞれの穴（34、16）を有し、ピントル（35）が穴（34、16）内に延び、それによって錠本体（1）がケーシング（30）に固定される、請求項2記載の錠。
【国際調査報告】
2005533951.tif 000008
2005533951.tif 000009
2005533951.tif 000010